(57)【要約】水中フラッシュライト（１０）は、調節可能な焦点調整ビームと、水中で取り外して交換することのできる防水バッテリーパック（１２）とを有している。フラッシュライトは、永久磁石（３５及び３６）が取り付けられている外部スライド式焦点調整部材（１４）によってスライドできるように取り付けられているランプ（１８）を有する水密ハウジング（１１）を備えている。永久磁石（３５及び３６）は、この外部磁石（３５及び３６）と協働する磁石（３７）を有する内部スライド式焦点調整部材（３８）を動かす。スライド可能な内側焦点調整部材（３８）は、ランプ（１８）の焦点を合わせる際にランプをリフレクタ（１６）の内方向及び外方向に動かすため、リンク（４１）によってランプ（１８）に連結されている。オン／オフスイッチ（２７）は、スライド可能な外側焦点調整部材（１４）に取り付けられており、スライド可能な内側焦点調整部材（３８）に取り付けられているピックアップコイル（３２）を作動させるため磁石（２６）が取り付けられている。フラッシュライトには防水取り付け可能なバッテリーパック（１２）が備えられており、そのバッテリーパック（１２）にはフラッシュライトの水密ハウジング（１１）内の磁石によって駆動される磁石スイッチ（５２）が備えられていて、互いの接点が構成されるまでは、バッテリー（４７及び５０）は電気的接続を形成しないようになっている。【選択図】図１
2004511893.tif 000002
【特許請求の範囲】
【請求項１】
調節可能な焦点調整ビームを備えた水中フラッシュライト（１０）において、
内側及び外側を有しており、内部にランプ支持ボア（２１）が設けられている水密ハウジング（１１）と、
前記ハウジング（１１）の前記外側に取り付けられているランプスイッチ（２７）と、
前記水密ハウジング（１１）に取り外し可能に取り付けられているバッテリーパック（１２）と、
前記ハウジングのランプ支持ボア（２１）にスライド可能に取り付けられ、前記ランプスイッチ（２７）を通して前記バッテリーパック（１２）と作動的に接続されているランプ（１８）と、
前記ハウジング（１１）の外側に前記ハウジング（１１）にスライド可能に取り付けられ、永久磁石（３５、３６）が取り付けられているスライド可能な外側焦点調整部材（１４）と、
前記ハウジング（１１）の内側に前記ハウジング（１１）にスライド可能に取り付けられ、永久磁石（３７）が取り付けられているスライド可能な内側焦点調整部材（３８）であって、前記永久磁石（３７）は、前記スライド可能な外側焦点調整部材（１４）をスライドさせて、それに取り付けられている前記磁石（３５、３６）を前記内側焦点調整部材の磁石（３７）と磁気的に係合した状態で動かすことができるように配置されている、スライド可能な内側焦点調整部材（３８）と、
２つの端部分を有しており、一方の端部分は前記ランプ（１８）と、他方の端部分は前記スライド可能な内側焦点調整部材（３８）と可動的に接続されているリンク（４１）と、を備えており、
前記外側焦点調整部材（１４）を動かすと、前記内側焦点調整部材（３８）と焦点調整リンク（４１）とがスライドして、前記ランプ（１８）の焦点を調節することを特徴とする、調節可能な焦点調整ビームを備えた水中フラッシュライト（１０）。
【請求項２】
前記水密ハウジング（１１）の内側にはピックアップコイル（３２）が取り付けられており、前記ピックアップコイル（３２）を作動させるために前記ランプスイッチ内に磁石（２６）が可動的に取り付けられていることを特徴とする、請求項１に記載の調節可能な焦点調整ビームを備えた水中フラッシュライト（１０）。
【請求項３】
前記ランプスイッチ（２７）は、前記スライド可能な外側焦点調整部材（１４）内に取り付けられていることを特徴とする、請求項２に記載の調節可能な焦点調整ビームを備えた水中フラッシュライト（１０）。
【請求項４】
前記ピックアップコイル（３２）は、前記スライド可能な内側焦点調整部材（３８）内に取り付けられていることを特徴とする、請求項３に記載の調節可能な焦点調整ビームを備えた水中フラッシュライト（１０）。
【請求項５】
前記ランプスイッチ（２７）は、前記スライド可能な外側焦点調整部材（１４）内の戻りばね（３１）に対して可動的に取り付けられていることを特徴とする、請求項４に記載の調節可能な焦点調整ビームを備えた水中フラッシュライト（１０）。
【請求項６】
前記リンク（４１）は、その両端部分の間で前記ハウジング（１１）に可動的にピン留めされていることを特徴とする、請求項５に記載の調節可能な焦点調整ビームを備えた水中フラッシュライト（１０）。
【請求項７】
前記ランプ（１８）は、中にバルブを支持しているランプハウジング（２０）を備えており、前記ランプハウジング（２０）は、前記リンク（４１）を取り付けるリンク接続ピン（４６）を有していることを特徴とする、請求項６に記載の調節可能な焦点調整ビームを備えた水中フラッシュライト（１０）。
【請求項８】
前記ハウジング（１１）には、リフレクタ（１６）が取り付けられており、前記ランプハウジング（２０）は、前記ランプ支持ボア内にスライド可能に取り付けられ、前記リフレクタ（１６）内へと突出している前記バルブを有していることを特徴とする、請求項７に記載の調節可能な焦点調整ビームを備えた水中フラッシュライト（１０）。
【請求項９】
前記スライド可能な内側焦点調整部材（３８）には、リンクヨーク（４０）が取り付けられており、前記リンクヨーク（４０）には、前記リンク（４１）が可動的に取り付けられていることを特徴とする、請求項８に記載の調節可能な焦点調整ビームを備えた水中フラッシュライト（１０）。
【請求項１０】
前記バッテリーパック（１２）は、２つのバッテリー極を有し防水ハウジング内に取り付けられた少なくとも１つのバッテリー（４７、５０）を有しており、前記水密ハウジング（１１）に取り外し可能に取り付けられており、前記バッテリーハウジングに取り付けられている少なくとも１つの電気的接点を有していることを特徴とする、請求項１に記載の調節可能な焦点調整ビームを備えた水中フラッシュライト（１０）。
【請求項１１】
前記バッテリーパック（１２）は、前記防水ハウジングの内側に、前記バッテリー極の１つと、バッテリーパック防水ハウジングの電気的接点との間に接続されている磁気作動スイッチ（５１）を備えていることを特徴とする、請求項１０に記載の調節可能な焦点調整ビームを備えた水中フラッシュライト（１０）。
【請求項１２】
前記水密ハウジング（１１）は、前記バッテリーハウジングの電気的接点と電気的接点を形成するために、前記ハウジングの外側に少なくとも１つの電気的接点を有していることを特徴とする、請求項１１に記載の調節可能な焦点調整ビームを備えた水中フラッシュライト（１０）。
【請求項１３】
前記水密ハウジング（１１）には、その少なくとも１つの電気的接点が前記防水バッテリーハウジング（１２）の電気的接点と接触したときに、前記防水バッテリーハウジング（１２）の内側にある前記磁気作動スイッチ（５２）を作動させるための磁石（５４）が、前記少なくとも１つの電気的接点に隣接して配置されていることを特徴とする、請求項１２に記載の調節可能な焦点調整ビームを備えた水中フラッシュライト（１０）。
【発明の詳細な説明】
【０００１】
（発明の属する技術分野）
本発明は、フラッシュライトの焦点を調整し、中のランプを作動させるためにスライドスイッチを使用するフラッシュライト、及び水中でバッテリーを交換することのできる防水フラッシュライトに関する。
【０００２】
（発明の背景）
これまで、様々な水中ランタン又はフラッシュライトや、スライドスイッチによって焦点調整を行うことのできるフラッシュライトが使われてきた。シュワルツによる米国特許第３，６０３，７８３号では、フラッシュライトは、内部結線式気密シール磁気リードスイッチと協働してランプの作動を制御する単一の外部制御式磁石と、ランプ位置を調整して焦点制御を行うための内部磁石部材とを使って、磁石式ランプ焦点調整及びスイッチ切換を行っている。ディルの米国特許第３，６８９，７５９号及びクラパンスキーの米国特許第３，７９４，８２５号は、両方共、フラッシュライトを作動させ光束を調節するのに磁気スイッチを利用する水中フラッシュライトである。トロスパーらの米国特許第４，１５２，７５５号は、携帯式の磁気作動フラッシュライトである。先行技術によるホルトの米国特許第２，５１６，９９３号、キプラーらの第５，８６５，５２５号、キプラーの第５，８２６，９７１号、バルーチの第５，１７１，０８６号は、全て、小型焦点調整式フラッシュライトを教示している。
【０００３】
本発明は、スライドさせると水中のフラッシュライト内のランプの焦点を合わせることができ、押すとランプを作動させることのできる、コンビネーションスイッチを提供する。水中のフラッシュライトを完全な防水状態に維持するため、永久磁石を利用し、防水表面を通してスイッチ切替と焦点調整の操作を行う。このフラッシュライトは、その作動構成要素の防水性を完全に保ったまま、水中でバッテリーを交換できるので更に有用である。
【０００４】
（発明の概要）
水中フラッシュライトは、調節可能な焦点調整ビームと、水中で取り外し交換可能な防水バッテリーパックとを有している。フラッシュライトは、永久磁石が取り付けられている外部スライド式焦点調整部材によってスライドできるように取り付けられているランプを有する水密ハウジングを備えている。永久磁石は、外部磁石と協働する磁石を有する内部スライド式焦点調整部材を動かす。スライド可能な内側焦点調整部材は、ランプの焦点調整を行う際にランプをリフレクタの内方向又は外方向に動かすため、リンクによってランプに連結されている。スライド可能な外側焦点調整部材にはオン／オフスイッチが取り付けられており、このスイッチには、スライド可能な内側焦点調整部材に取り付けられているピックアップコイルを駆動するために、磁石が取り付けられている。フラッシュライトは、その水密ハウジング内の磁石で作動させる磁石式スイッチを有している防水式の脱着可能なバッテリーパックを備えており、バッテリーは、互いに接点が形成され磁石式スイッチが入れられるまでは電気的接続状態にならないようになっている。
【０００５】
（好適な実施例の詳細な説明）
本発明のこの他の目的、特徴及び利点は、以下の詳細な説明と添付図面を見て頂ければ明白になるであろう。
【０００６】
図１−３には、バッテリーハウジング１２及びハンドル１３と共にランプハウジング１１を有する防水フラッシュライト１０が示されている。図１及び図２には、焦点調整スライド機構とオン／オフスイッチを組み合わせたスイッチアッセンブリ１４が示されている。フラッシュライト１０は、ステンレス鋼製のねじを切ったスクリューとナットを円周状に配列したものを使って、ねじ付きカバー２２と、ゴムシール１１ａと、放物面リフレクタ１６の広い開口との間にしっかりと挟み込んだレンズ１５を有している。深絞り成形されたアルミニウムディスク１１ｃは、シール構造アッセンブリの１つの部材を構成し、下に敷いたゴムシール１１ｂと、前方ケーシング１１のリム部と係合している円周状に配列されたスクリューとによって、前方ケーシング１１の開口端部をシールするようになっている。ディスク１１ｃの中央アパーチャと放物面リフレクタ１６の小端部の開口とは、Ｏ型リング１６ａと共に、連結してチャネルを形成し、ねじ付きカバー２２のねじ２３を前方ケーシング１１のねじ２４と噛み合わせて、Ｏ型リング１６ａをディスク１１ｃに対して押し付けると、気密シールされた大きな空洞が作り出される。バルブ１８は、前方ケーシング１１のチャネル２１内に支持されているサポート２０に、スライド可能に取り付けられている。前方ケーシング１１には、リフレクタ１６の回りに、ねじ付きカバー２２に設けられた同数の開口と整列して複数の貫通開口２５が設けられており、そこから入った水又は空気でリフレクタを対流冷却できるようになっている。
【０００７】
スライド可能なスイッチアッセンブリ１４は、ドーム状で柔軟なエラストマースイッチ部材２７の下に取り付けられている磁石２６を有しており、スイッチ部材２７を押すと、エクステンション２８を戻しばね３１に対して押し付け、スナップディスク３０を規定のストロークとスナップポイント力で押すようになっている。スイッチ部材２７の垂直押圧力がスナップディスク３０のスナップポイント力と等しいかそれを上回ると、急速なトグル状の運動が、磁石２６を、スナップディスク３０の規定のストロークを超えて動かし、気密シールされた前方ケーシング１１の内側のピックアップコイル３２に電圧スパイクを誘起する。この電圧スパイクは、前方ケーシング１１内の電子アッセンブリによって記録され、スパーク無しのオン／オフスイッチを擬態することになる。ピックアップコイル３２は、リードスイッチに置き換えてもよい。ハンドル部２７を押して磁石２６を二度押すと、ランプ１８は消える。
【０００８】
スライド式スイッチ部３３は、防水壁部３４上に支持され、一対の磁石３５及び３６を備えており、磁石３５及び３６は壁３４の反対側にある磁石３７と係合するようになっているので、スライド式スイッチ部分３３を防水壁３４に沿ってスライドさせると、磁石３５及び３６が磁石３７と係合して、下側スイッチ本体３８をスライドさせ、それによってヨーク４０をスライドさせるようになっている。ヨーク４０が動けば、ヨーク４０にピン４２で取り付けられているリンク４１が動かされ、更に、リンク４１はピン４３で第２リンク４４に取り付けられており、第２リンク４４は、ランプ１８を保持しているスライディング本体部分のピン４６と係合しているヨーク４５を有している。従って、スイッチ本体部分３３をスライドさせると、ヨーク４０がスライドし、次にリンク４１及び４４がスライドして、バルブ１８をスライドさせて焦点の調節を行うことになる。
【０００９】
図１に示すように、スライド式スイッチ部３３全体が、防水壁３４上を前後に動かされ、それによって、磁石３６に従ってオン／オフスイッチ部２７をオン／オフスイッチ部３２と常に整列した状態に維持しながら、下部スイッチ部３８が引っ張られるようになっている。
【００１０】
気密シールされたバッテリーケーシング１２には、再充填可能なバッテリー４７がケーシング内で直列に連結された状態で入っている。前方のバッテリー５０の１つの極は、一対の接点ピン５１の中間に配置されているリードスイッチ５２と直列に、防水取り付けされている貫通接点ピン５１と接続されている。バッテリーケーシング１２をハンドル１３の下部に設けられたガイドレールに沿ってスライドさせると、ノーマルオープンのリードスイッチ５２は、前方ケーシング１１の隣接する壁の内側に取り付けられている永久磁石５４の磁力によって動かされ電気的接続状態になる。このように、電気的接続は、前方ケーシング１１の後壁内にモールドされ、隣接するバッテリーケーシング１２内にモールドされているピン５１と整列している、２つの防水式貫通ソケット５１ｂを通して確立される。バッテリーは、前方ケーシング１１内に配置されている電子アッセンブリと電気的に連結されており、電流は、ピックアップコイル３２内で作られる制御信号によって、スパークを発生させずにバルブ１８をオン又はオフにする半導体駆動手段を使って流される。
【００１１】
２つのゴムシール５４は、バッテリーケーシング１２の前部の円形の突出部分の周囲にしっかりと嵌合している円錐型の管状部分といえる。バッテリーケーシング１２と前方ケーシング内側の電子アッセンブリとの電気的接点は、バッテリーケーシング１２を所定の力で軸方向に引っ張るカム機構５５を機械的に噛み合わせてロックし、シール５４を圧縮し横方向に膨らませて、接点ピン５１とソケット５１ｂの周囲から余分な水を絞り出すことによって確立される。充電のためにバッテリーケーシング１２を機械的に係合解除し、取り外すと、リードスイッチはオープン状態になる。
【００１２】
以上の説明より明らかなように、水中でバッテリーを交換することができ、永久磁石を用いてランプの焦点調節を行うと同時にランプのオン／オフ切換を行うことのできる単一のスライドスイッチを有する、有用な防水フラッシュライトが提供されている。しかしながら、本発明は、制限するのではなく分かり易く説明するために示した上記の構成に限定されるものと解釈されるべきではない。
【図面の簡単な説明】
【図１】
本発明による、防水式の焦点調整可能なフラッシュライトの断面図である。
【図２】
図１のフラッシュライトによる、スライド式焦点調整及びオン／オフ・コンビネーションスイッチの断面図である。
【図３】
バッテリーハウジングと、フラッシュライトとの接続部の断面図である。
【国際公開パンフレット】
2004511893.tif 000003
2004511893.tif 000004
2004511893.tif 000005
2004511893.tif 000006
2004511893.tif 000007
2004511893.tif 000008
2004511893.tif 000009
2004511893.tif 000010
2004511893.tif 000011
2004511893.tif 000012
2004511893.tif 000013
2004511893.tif 000014
2004511893.tif 000015
【国際公開パンフレット（コレクトバージョン）】
2004511893.tif 000016
【国際調査報告】
2004511893.tif 000017
2004511893.tif 000018